(57)【特許請求の範囲】
【請求項１】
強制換気用送風機が取り付けられて該送風機により内部の空気が外部に排出される変圧器収納箱に後端部が取り付けられるブッシングと、該ブッシング内に抜き差し可能に収容された電力ヒューズとを備えた電力ヒューズ内蔵の変圧器用ブッシングにおいて、
前記ブッシング内に外気を取り入れる空気流入口が前記ブッシングの先端に設けられ、
前記ブッシング内には前記空気流入口から取り入れた空気を該ブッシングの後端部側に流す空気通路が形成され、
前記ブッシングの後端部には前記空気通路を通して流れてきた空気を排出する空気流出口が設けられ、
前記空気流入口を通して前記ブッシング内にゴミが入るのを防ぐフィルタが前記空気流入口の周縁部に取り付けられていること、
を特徴とする電力ヒューズ内蔵の変圧器用ブッシング。
【請求項２】
前記空気流入口は、前記ブッシングの先端側の開口部を閉じるように取り付けられているエンドキャップと前記ブッシングの絶縁筒との相対位置に設けられ、
前記ブッシング内の空気通路は、該ブッシング内の軸線方向の全長に亘って形成され、
前記空気流出口は、前記ブッシングの後端側の開口部を閉じるように取り付けられている端板に設けられている請求項１に記載の電力ヒューズ内蔵の変圧器用ブッシング。
【請求項３】
下部に空気取入れ口を有する変圧器収納箱と、該変圧器収納箱内に収容された変圧器本体と、先端を外方に向けた状態で後端が前記変圧器収納箱に取り付けられ、前記変圧器本体から引き出された口出し線と外部から引き込まれる電線との間を接続する電力ヒューズを内蔵したブッシングと、前記変圧器収納箱の天井壁に設けられた開口部に配置されて前記変圧器収納箱内の空気を外部に排出する送風機とを具備した変圧器において、
前記ブッシング内に外気を取り入れる空気流入口が前記ブッシングの先端に設けられ、
前記ブッシング内には前記空気流入口から取り入れた空気を該ブッシングの後端部側に流す空気通路が形成され、
前記ブッシングの後端部には前記空気通路を通して流れてきた空気を排出する空気流出口が設けられ、
前記空気流入口を通して前記ブッシング内にゴミが入るのを防ぐフィルタが前記空気流入口の周縁部に取り付けられ、
前記空気流入口から流入した外気を、前記ブッシング内の空気通路内を通して流して前記空気流出口から前記変圧器収納箱内に排出した後、該変圧器収納箱の天井壁に設けられた開口部を通して外部に流す空気流路が形成されていること、
を特徴とする電力ヒューズ内蔵ブッシングを備えた変圧器。
【請求項４】
下部に空気取入れ口を有する変圧器収納箱と、該変圧器収納箱内に収容された変圧器本体と、先端を外方に向けた状態で後端が前記変圧器収納箱に取り付けられ、前記変圧器本体から引き出された口出し線と外部から引き込まれる電線との間を接続する電力ヒューズを内蔵したブッシングと、前記変圧器収納箱の天井壁に設けられた開口部に配置されて前記変圧器収納箱内の空気を外部に排出する送風機とを具備した変圧器において、
前記ブッシング内に外気を取り入れる空気流入口が前記ブッシングの先端に設けられ、
前記ブッシング内には前記空気流入口から取り入れた空気を該ブッシングの後端部側に流す空気通路が形成され、
前記ブッシングの後端部には前記空気通路を通して流れてきた空気を排出する空気流出口が設けられ、
前記変圧器収納箱の近傍に、外気を濾過するフィルタ付きチャンバーが設置されて、該フィルタ付きチャンバーと前記ブッシングの前記空気流入口との間が連結ホースで連結され、
前記空気流入口から流入した外気を、前記ブッシング内の空気通路内を通して流して前記空気流出口から前記変圧器収納箱内に排出した後、該変圧器収納箱の天井壁に設けられた開口部を通して外部に流す空気流路が形成されていること、
を特徴とする電力ヒューズ内蔵ブッシングを備えた変圧器。
【請求項５】
外気を前記フィルタ付きチャンバ内を通して前記ブッシング内に強制的に供給する送風機が設けらている請求項４に記載の電力ヒューズ内蔵ブッシングを備えた変圧器。
【発明の詳細な説明】
【技術分野】
【０００１】
本発明は、電力ヒューズを内蔵した変圧器用ブッシング及び該変圧器用ブッシングを変圧器収納箱に取り付けてなる変圧器に関するものである。
【背景技術】
【０００２】
内部に電力ヒューズを内蔵したブッシングが取り付けられた変圧器は、特許文献１の図１に示したように、変圧器タンク１と、変圧器タンク１内に収容された図示しない変圧器本体と、変圧器タンク１に取り付けられた電力ヒューズを内蔵した変圧器用ブッシング３とにより構成される。電力ヒューズを内蔵した変圧器用ブッシング３は、後端部が変圧器タンク１に取り付けられたブッシング本体３０３と、ブッシング本体３０３の先端部の内側に取り付けられた雌形の第１の接触子３０４と、ブッシング本体３０３の後端部の内側に取り付けられた雌形の第２の接触子３０５と、ブッシング本体３０３の先端に設けられた開口部から該ブッシング本体３０３内に抜き差し可能な状態で挿入された電力ヒューズ４と、ブッシング本体３０３の内側に配置された消弧棒４０４と、ブッシング３の先端３ａ側に設けられ、外部から引き込まれる電線５を第１の接触子３０４に接続するための端子３０９と、ブッシング３の後端３ｂ側に設けられ、第２の接触子３０５を変圧器タンク１内の変圧器本体の一次側の口出し線に電気的に接続するための端子部３１０とにより構成されている。
【０００３】
オフィスビルなどの屋内に設けられた電気室内に設置されるこの種の変圧器の冷却は、特許文献２に示したように、電気室１１の側壁の下部に設けられた空気取入れ口１７ａ1と、電気室１１内に設置されて変圧器１３を内部に収納する変圧器収納箱２０内の下部に設けられて電気室１１内の空気を導入する空気取入れ口２０ａと、変圧器収納箱２０の天井壁に設けられた開口部に配置されて該変圧器収納箱２０内の空気を吸引して送出する強制換気用送風機２１と、一端が送風機２１の排出口に接続され、他端が電気室１１の側壁１１ｂの上端部付近に設けられた排気口１１ｃに接続されている排気ダクト２２とにより構成されている。
【０００４】
上記の特許文献１の電力ヒューズを内蔵したブッシングが取り付けられた変圧器収納箱を上記の特許文献２の電気室内に設置して運転した場合には、変圧器本体およびブッシング本体から発生する熱により変圧器収納箱内の空気が上昇すると、温度が上昇して軽くなった変圧器収納箱内の空気は、該変圧器収納箱内を上方に移動して排気ダクト内を通して外部に排出される。このように、変圧器本体の温度、変圧器収納箱内の温度またはブッシング本体の温度が設定値以下の場合には、自然換気により常時変圧器収納箱内の空気が低温の空気と置換されて、変圧器本体およびブッシング本体の冷却がおこなれるが、負荷の増大により、変圧器本体の温度、変圧器収納箱内の温度またはブッシング本体の温度が設定値以上になると送風機が運転され、変圧器収納箱内の空気が強制的に排気ダクトを通して外部に排出され、変圧器収納箱内の換気が強制的に行われ、換気量を増加させて変圧器本体およびブッシング本体の冷却を促進させ、変圧器本体、変圧器収納箱内およびブッシング本体の温度を速やかに低下させるようにしている。
【特許文献１】特開２００４−１９２９９８号公報
【特許文献２】特開平１１−２８３８４３号公報
【発明の開示】
【発明が解決しようとする課題】
【０００５】
特許文献１に示された電力ヒューズを内蔵したブッシングは、ブッシング内に電力ヒューズが挿入された状態においては完全な密閉構造となっているため、ブッシングの外周面からしか冷却されず、ブッシング内を充分に低い温度まで冷却することができない。このようにブッシング内を冷却することができないと、ブッシングの密閉性が高い電力ヒューズに定格電流を通電した場合、通電による発熱によって電力ヒューズ表面の温度が上昇し、ブッシング内に発熱温度が蓄積するため、ブッシング内に用いられている絶縁物の許容温度を超えて焼損する恐れがあった。また、電力ヒューズ自身の温度も異常に高くなり、電力ヒューズに不具合が生じて、電力ヒューズの性能を充分に発揮させることができなくなり、正常な溶断ができなくなるという問題もあった。そのため、一般的には定格の５０％の電流で使用するなどの制約条件付きでの運用を余儀無くされていた。
【０００６】
本発明の目的は、ブッシング内および変圧器収納箱内に常時空気の流れを生じさせことにより、電力ヒューズ、ブッシング内および変圧器本体、変圧器収納箱内の冷却効率を高めた電力ヒューズを内蔵した変圧器用ブッシング及び、該変圧器用ブッシングが変圧器収納箱に取り付けられた変圧器を提供することにある。
【課題を解決するための手段】
【０００７】
第１の発明は、強制換気用送風機が取り付けられて該送風機により内部の空気が外部に排出される変圧器収納箱に後端部が取り付けられるブッシングと、該ブッシング内に抜き差し可能に収容された電力ヒューズとを備えた電力ヒューズ内蔵の変圧器用ブッシングに係わるものである。本発明においては、ブッシング内に外気を取り入れる空気流入口がブッシングの先端に設けられる。またブッシング内には空気流入口から取り入れた空気を該ブッシングの後端部側に流す空気通路が形成され、ブッシングの後端部には空気通路を通して流れてきた空気を排出する空気流出口が設けられている。本発明においてはまた、空気流入口を通して前記ブッシング内にゴミが入るのを防ぐフィルタが前記空気流入口の周縁部に取り付けられている。
【０００８】
第２の発明は、第１の発明に適用されるもので、本発明においては、外気を取り入れる前記空気流入口が、前記ブッシングの先端側の開口部を閉じるように取り付けられているエンドキャップと前記ブッシングの絶縁筒との相対位置に設けられ、前記ブッシング内の前記空気通路が、前記ブッシング内の軸線方向の全長に亘って形成され、前記ブッシング内の空気を排出する空気流出口が、前記ブッシングの後端側の開口部を閉じるように取り付けられている端板に設けられている。
【０００９】
第３の発明は、下部に空気取入れ口を有する変圧器収納箱と、該変圧器収納箱内に収容された変圧器本体と、先端を外方に向けた状態で後端が変圧器収納箱に取り付けられ、変圧器本体から引き出された口出し線と外部から引き込まれる電線との間を接続する電力ヒューズを内蔵したブッシングと、変圧器収納箱の天井壁に設けられた開口部に配置されて変圧器収納箱内の空気を外部に排出する送風機とを具備した変圧器に係わるものである。
【００１０】
本発明においては、ブッシング内に外気を取り入れる空気流入口がブッシングの先端に設けられ、ブッシング内には前記空気流入口から取り入れた空気を該ブッシングの後端部側に流す空気通路が形成されている。またブッシングの後端部には空気通路を通して流れてきた空気を排出する空気流出口が設けられ、空気流入口を通してブッシング内にゴミが入るのを防ぐフィルタが空気流入口の周縁部に取り付けられている。本発明においては、空気流入口から流入した外気を、ブッシング内の空気通路内を通して流して空気流出口から変圧器収納箱内に排出した後、該変圧器収納箱の天井壁に設けられた開口部を通して外部に流す空気流路が形成されている。
【００１１】
第４の発明は、下部に空気取入れ口を有する変圧器収納箱と、該変圧器収納箱内に収容された変圧器本体と、先端を外方に向けた状態で後端が前記変圧器収納箱に取り付けられ、前記変圧器本体から引き出された口出し線と外部から引き込まれる電線との間を接続する電力ヒューズを内蔵したブッシングと、変圧器収納箱の天井壁に設けられた開口部に配置されて変圧器収納箱内の空気を外部に排出する送風機とを具備した変圧器に係わるもので、本発明においては、ブッシング内に外気を取り入れる空気流入口がブッシングの先端に設けられ、ブッシング内には空気流入口から取り入れた空気を該ブッシングの後端部側に流す空気通路が形成されている。またブッシングの後端部には空気通路を通して流れてきた空気を排出する空気流出口が設けられている。本発明においてはまた、変圧器収納箱の近傍に、外気を濾過するフィルタ付きチャンバーが設置され、該フィルタ付きチャンバーとブッシングの空気流入口との間が連結ホースで連結されている。本発明においても、空気流入口から流入した外気を、ブッシング内の空気通路内を通して流して空気流出口から変圧器収納箱内に排出した後、該変圧器収納箱の天井壁に設けられた開口部を通して外部に流す空気流路が形成されている。
【００１２】
第５の発明は、第４の発明に適用されるもので、本発明においては、外気をフィルタ付きチャンバーを通して前記ブッシング内に強制的に供給する送風機が設けられている。
【発明の効果】
【００１３】
第１の発明によれば、ブッシング内に外気を取り入れる空気流入口がブッシングの先端に設けられ、ブッシング内には空気流入口から取り入れた空気を該ブッシングの後端部側に流す空気通路が形成され、ブッシングの後端部には空気通路を通して流れてきた空気を排出する空気流出口が設けられているので、ブッシング内に常時空気の流れを生じさせることができる。また第１の発明においては、空気流入口を通してブッシング内にゴミが入るのを防ぐフィルタが空気流入口の周縁部に取り付けられているので、外気のごみがブッシング内に入って蓄積するのを防ぐことができできる。そのため、ブッシング内に常時クリーンな空気の流れを生じさせることができ、ブッシング内の空気通路が分断されたり狭くなったりするのを防止することができる。また、電力ヒューズと接触子とが接触不良を引起したり、絶縁性能が低下したりするのを防止することもでき、ブッシング内に常時良好な空気通路を形成させることができるとともに、電力ヒューズの性能を充分に発揮させることができる。
【００１４】
第２の発明においては、外気を取り入れる空気流入口が、ブッシングの先端側の開口部を閉じるように取り付けられているエンドキャップとブッシングの絶縁筒との相対位置に設けられ、ブッシング内の空気を排出する空気流出口が、ブッシングの後端側の開口部を閉じるように取り付けられている端板に設けられている。そのため、第２の発明によれば、エンドキャップとブッシングの絶縁筒との相対位置および端板に孔開け加工を施すだけで、空気流入口および空気流出口を設けることができ、既設のブッシングにも容易に対応させることができる。
【００１５】
第３の発明においては、ブッシング内に外気を取り入れる空気流入口がブッシングの先端に設けられ、ブッシング内には空気流入口から取り入れた空気を該ブッシングの後端部側に流す空気通路が形成され、ブッシングの後端部には空気通路を通して流れてきた空気を排出する空気流出口が設けられ、空気流入口から流入した外気をブッシング内の空気通路内を通して流した後空気流出口から変圧器収納箱内に排出して該変圧器収納箱の天井壁に設けられた開口部を通して外部に流す空気流路が形成されている。そのため、第３の発明によれば、ブッシング内および変圧器収納箱内に常時空気の流れを生じさせることができ、この空気流により電力ヒューズ、ブッシング内および変圧器本体、変圧器収納箱内の熱を外部に搬送して電力ヒューズ、ブッシング内および変圧器本体、変圧器収納箱内を効率よく冷却することができる。また、電力ヒューズおよびブッシング内を効率よく冷却することができるため、電力ヒューズへの通電電流に制約を受けることなく、定格電流を通電させることができる。
【００１６】
また第３の発明においては、空気流入口を通してブッシング内にゴミが入るのを防ぐフィルタが空気流入口の周縁部に取り付けられているので、外気のごみがブッシング内に入って蓄積するのを防ぐことができできる。そのため、ブッシング内に常時クリーンな空気の流れを生じさせることができ、ブッシング内の空気通路が分断されたり狭くなったりするのを防止することができる。また、電力ヒューズと接触子とが接触不良を引起したり、絶縁性能が低下したりするのを防止することもでき、ブッシング内に常時良好な空気通路を形成させることができるとともに、電力ヒューズの性能を充分に発揮させることができる。
【００１７】
第４の発明によれば、変圧器収納箱の近傍に、外気を濾過するフィルタ付きチャンバーを設置し、該フィルタ付きチャンバーとブッシングの空気流入口との間を連結ホースで連結したので、外気をフィルタ付きチャンバーで濾過した後、連結ホース内を通しブッシングの空気流入口からブッシング内に流入させることができる。そのため、ブッシング内に常時クリーンな空気をより効率よく供給することができ、電力ヒューズおよびブッシング内の冷却を効果的に行わせることができる。また、フィルタ付きチャンバーはブッシングの充電部から離れた位置に設置されているため、フィルタの清掃あるいはフィルタの交換を無停電の状態で行うことができる。
【００１８】
第５の発明によれば、外気をフィルタ付きチャンバ内を通してブッシング内に強制的に供給する送風機を設けたので、電力ヒューズおよびブッシング内の冷却を更に効果的に行わせることができる。また、前記ブッシング内を強制冷却することができるため、一時的に電力ヒューズの過負荷運転を行わせることもできる。
【発明を実施するための最良の形態】
【００１９】
図１は、本発明に係わる電力ヒューズ内蔵の変圧器用ブッシング及びそれを用いた変圧器の参考構成例を示した概略縦断面図である。
【００２０】
図１において、１は変圧器収納箱で、該変圧器収納箱１内には、図示しない変圧器本体が収容されている。変圧器収納箱１の上部には、該変圧器収納箱１内の空気を吸引して送出する強制換気用送風機２が取り付けられている。送風機２は、変圧器収納箱１の天井壁に設けられた開口部に吸込み口が接続された風洞２ａと、該風洞２ａ内に配置されて電動機により回転駆動される送風羽２ｂとを備えている。変圧器収納箱１の側壁には、電力ヒューズを内蔵したブッシング３が取り付けられている。
【００２１】
電力ヒューズを内蔵したブッシング３は、絶縁筒３ａと、絶縁筒３ａの先端部の内側に収容された雌形のリード側の接触子４と、絶縁筒３ａの後端部の内側に収容された雌形の変圧器側の接触子５と、絶縁筒３ａの先端に設けられた開口部から該絶縁筒３ａ内に抜き差し可能な状態で挿入された電力ヒューズ６と、絶縁筒３ａの内側に配置されたリード側消弧筒および変圧器側消弧筒７および８とにより構成される。
【００２２】
ブッシング３は、円筒状に形成された絶縁筒３ａと、該絶縁筒３ａの外周に接合された笠付きの套管３ｂとからなっていて、その套管３ｂの後端部にフランジ９が取り付けられている。ブッシング３の後端部が変圧器収納箱１の側壁に設けられた取り付け孔を通して変圧器収納箱１内に挿入され、フランジ９が変圧器収納箱１の側壁にボルト止めされることにより、ブッシング３が、その先端を外方に向けた状態で変圧器収納箱１に取り付けられている。ブッシング３の絶縁筒３ａとリード側の接触子４との間、絶縁筒３ａと変圧器側の接触子５との間、絶縁筒３ａと電力ヒューズ６との間には、それぞれ隙間Ｇ１，Ｇ２およびＧ３が形成されていて、これらの隙間Ｇ１ないしＧ３により、絶縁筒３ａ内に存在する空気を流下させる空気通路１０が絶縁筒３ａの軸線方向の全長に亘って形成されている。
【００２３】
また、ブッシング３の先端側には、外部から引き込まれる電線１１を第１の接触子４に接続するための端子１２が設けられ、ブッシング３の後端側には、第２の接触子５を変圧器収納箱１内の変圧器本体の一次側の口出し線に電気的に接続するための端子部１３が設けられている。
【００２４】
絶縁筒３ａの先端部および後端部をそれぞれ塞ぐようにエンドキャップ１４および端板１５が取り付けられ、エンドキャップ１４には電力ヒューズ６を貫通させるヒューズ挿入口１６が形成されていて、このヒューズ挿入口１６を通して電力ヒューズ６を押し込みながら排出ばね１７を圧縮し、封止キャップ１８で通電位置に固定され、封止キャップ１８を外すと排出ばね１７により電力ヒューズ６がブッシング３から排出される。また、エンドキャップ１４と絶縁筒３ａとの相対位置には、ブッシング３内に連通して外気をブッシング内に取り入れるための空気流入口１９が設けられている。端板１５には、変圧器収納箱１内に連通してブッシング３内の空気を変圧器収納箱１内に排出させるための空気流出口２０が設けられている。
【００２５】
上記のように、ブッシング３の先端側にブッシング３内に連通する空気流入口１９を設け、ブッシング３内に、該ブッシング３内に取り入れられた外気を流下させる空気通路１０を形成し、ブッシング３の後端側に変圧器収納箱１内に連通する空気流出口２０を設けることにより、外気がブッシング３の空気流入口１９からブッシング３内に流入し、ブッシング３内の空気通路１０を流下してブッシング３の空気流出口２０から変圧器収納箱１内に排出され、該変圧器収納箱１内から前記変圧器収納箱の天井壁に設けられた開口部を通って外部に至る空気流路が形成される。
【００２６】
電力ヒューズ６は、その後端部を変圧器側に向けた状態で、ブッシング３の絶縁筒３ａのエンドキャップ１４に設けられたヒューズ挿入口１６からブッシング３内に挿入され、その後端部側に設けられた消弧棒２１が変圧器側の接触子５内に挿入されるとともに、リード側の電極２２および変圧器側の電極２３がそれぞれリード側の接触子４および変圧器側の接触子５に接触される。これにより電力ヒューズ６が投入された状態となり、変圧器本体から引き出された口出し線と外部から引き込まれる電線との間が電気的に接続されることとなる。
【００２７】
上記のように構成された電力ヒューズ６を内蔵したブッシング３が取り付けられた変圧器収納箱１において、変圧器本体や変圧器収納箱内１および電力ヒューズ６やブッシング３内の温度が設定値以下の場合には、送風機２が停止している。変圧器本体が運転されると、変圧器本体から発生する熱または電力ヒューズ６から発生する熱により変圧器収納箱１内やブッシング３内の空気の温度が上昇する。温度が上昇したブッシング１内の空気が空気通路１０を流下して端板１５の空気流出口２０から変圧器収納箱１内に排出される。温度が上昇して軽くなった変圧器収納箱１内の空気は該変圧器収納箱１内を上方に移動して変圧器収納箱１の天井壁に設けられた開口部を通って外部に排出される。温度上昇した空気の上方への移動に伴って、温度の低い外気が、ブッシング３の空気流入口１９からブッシング３内に流入されると同時に、変圧器収納箱１の下部の空気取入れ口から変圧器収納箱１内にも流入される。このように、電力ヒューズ６やブッシング３内および変圧器本体や変圧器収納箱１内の温度が設定値以下の場合には、自然換気により常時ブッシング３内および変圧器収納箱１内の空気が低温の空気と置換されて、電力ヒューズ６および変圧器本体の冷却が行われる。
【００２８】
負荷の増大により、電力ヒューズ６やブッシング３内または変圧器本体や変圧器収納箱１内の温度が設定値以上になると、送風機２が運転されるため、ブッシング３内および変圧器収納箱１内の空気が強制的に外部に排出され、ブッシング３内および変圧器収納箱１内の換気が強制的に行われる。そのため、換気量を増加させて電力ヒューズ６および変圧器本体の冷却を促進することができ、電力ヒューズ６および変圧器本体の温度を速やかに低下させることができる。
【００２９】
図２ないし図４は、本発明に係わる電力ヒューズ内蔵の変圧器用ブッシング及びそれを用いた変圧器の実施形態１ないし３を示している。これらの図面においては、上記参考構成例と同一の要素には、上記参考構成例と同一の符号を付しており、適宜説明を省略する。
【００３０】
図２は、本発明に係わる電力ヒューズ内蔵の変圧器用ブッシング及びそれを用いた変圧器の実施形態１の要部を示した概略縦断面図である。本実施形態の電力ヒューズ内蔵の変圧器用ブッシング及びそれを用いた変圧器は、外気のごみがブッシング３の先端側に設けられた空気流入口１９からブッシング３内に入るのを防ぐために、空気流入口１９の周縁部にフィルタ２４を取り付けている点が上記した実施形態と異なっている。
【００３１】
上記のフィルタ２４は、清掃あるいは交換を容易にするため、着脱可能に取り付けておくことが好ましい。
【００３２】
図３は、本発明に係わる電力ヒューズ内蔵の変圧器用ブッシング及びそれを用いた変圧器の実施形態２の要部を示した概略縦断面図である。本実施形態の電力ヒューズ内蔵の変圧器用ブッシング及びそれを用いた変圧器は、上述した実施形態１のように、ブッシング３の空気流入口１９の周縁部にフィルタ２４を取り付ける代わりに、フィルタ付きのチャンバー２５を変圧器収納箱１の近傍に設置する。ブッシング３の空気流入口１９およびフィルタ付きのチャンバー２５の側壁の連通孔に連結パイプ２６および２７を挿嵌し、ブッシング３側の連結パイプ２６には連結ホース２８の一端を接続し、フィルタ付きのチャンバー２５側の連結パイプ２７には連結ホース２８の他端を接続して、ブッシング３とフィルタ付きのチャンバー２５との間を連接することにより、外気をフィルタ付きのチャンバー２５で濾過した後、連結ホース２８内を通してブッシング３の空気流入口１９からブッシング３内に取り入れる点が上記したいずれの実施形態とも異なっている。
【００３３】
図４は、本発明に係わる電力ヒューズ内蔵の変圧器用ブッシング及びそれを用いた変圧器の実施形態３の要部を示した概略縦断面図である。本実施形態の電力ヒューズ内蔵の変圧器用ブッシング及びそれを用いた変圧器は、フィルタ付きのチャンバー２５に送風機２９を取り付け、外気を前記フィルタ付きのチャンバー２５を介して強制的にブッシング３内に取り入れる点が上記したいずれの実施形態とも異なっている。
【００３４】
なお、図示していないが、変圧器本体の温度、変圧器収納箱１内の温度、電力ヒューズ６の温度、ブッシング３内の温度を検出して、必要時にのみ送風機２および送風機２９の運転を行わせるように送風機２および送風機２９の運転を制御する制御装置が設けられている。この制御装置は、例えば、変圧器本体、変圧器収納箱１内、電力ヒューズ６、ブッシング３内の温度を検出する温度センサと、温度センサが設定値以上の温度を検出しているときにオン状態になって電源から送風機２および送風機２９の電動機に駆動電流を供給するスイッチ回路とにより構成することができる。また、変圧器本体の温度、変圧器収納箱１内の温度、電力ヒューズ６の温度、ブッシング３内の温度に応じて送風機２および送風機２９を駆動する電動機の回転速度を連続的または段階的に制御して、送風機の送風能力をそれぞれの温度に応じてきめ細かく制御するようにすることもできる。
【図面の簡単な説明】
【００３５】
【図１】本発明に係わる電力ヒューズ内蔵の変圧器用ブッシング及びそれを用いた変圧器の参考構成例の要部を示した概略縦断面図である。
【図２】本発明に係わる電力ヒューズ内蔵の変圧器用ブッシング及びそれを用いた変圧器の実施形態１要部を示した概略縦断面図である。
【図３】本発明に係わる電力ヒューズ内蔵の変圧器用ブッシング及びそれを用いた変圧器の実施形態２の要部を示した概略縦断面図である。
【図４】本発明に係わる電力ヒューズ内蔵の変圧器用ブッシング及びそれを用いた変圧器の実施形態３の要部を示した概略縦断面図である。
【符号の説明】
【００３６】
１  変圧器収納箱
２  送風機
３  ブッシング
６  電力ヒューズ
１０  空気通路
１４  エンドキャップ
１５  端板
１９  空気流入口
２０  空気流出口
２４  フィルタ
２５  チャンバー
２８  連結ホース
２９  送風機
【図１】
0004773242.tif 000002
【図２】
0004773242.tif 000003
【図３】
0004773242.tif 000004
【図４】
0004773242.tif 000005